【手続補正書】
【提出日】平成19年10月19日(2007.10.19)
【手続補正１】
【補正対象書類名】特許請求の範囲
【補正対象項目名】全文
【補正方法】変更
【補正の内容】
【特許請求の範囲】
【請求項１】
操作キーを有する操作手段と、
短縮コードに対応付けられた電子メールアドレスを記憶するアドレステーブル記憶手段と、
短縮コードに対応付けられた電話番号を記憶する電話番号テーブル記憶手段と、
電話番号かあるいは短縮コードかどうかを、入力されたコードの桁数によって判断するコード判断手段とを備え、
前記操作手段によって入力されたコードが所定の桁以上の場合には前記コード判断手段によって該コードを電話番号と判断し該コードを電話番号としてダイヤル発信する一方、入力されたコードが２桁の場合には前記コード判断手段によって該コードを短縮コードと判断し当該短縮コードに対応して前記電話番号テーブル記憶手段に記憶されている電話番号をダイヤル発信するかあるいは電子メールの新文書を作成するように制御することを特徴とする通信装置。
【請求項２】
前記入力された２桁のコードは００〜９９であることを特徴とする請求項１に記載の通信装置。
【請求項３】
当該短縮コードに対応した電子メールアドレスが前記アドレステーブル記憶手段に記憶されていないときには、電子メールの新文書を作成しないように制御することを特徴とする請求項１または２のいずれかに記載の通信装置。
【請求項４】
当該短縮コードに対応した電話番号が前記電話番号テーブル記憶手段に記憶されていないときには、処理を終了するように制御することを特徴とする請求項１乃至３のいずれかに記載の通信装置。
【請求項５】
前記アドレステーブル記憶手段に記憶されている電子メールアドレス宛にメールを送信するメール送信手段を備え、
前記メール送信手段によって前記電子メールの新文書を送信することを特徴とする請求項１乃至４のいずれかに記載の通信装置。
【手続補正２】
【補正対象書類名】明細書
【補正対象項目名】発明の名称
【補正方法】変更
【補正の内容】
【発明の名称】通信装置
【手続補正３】
【補正対象書類名】明細書
【補正対象項目名】０００１
【補正方法】変更
【補正の内容】
【０００１】
本発明は、通信装置に関する。
【手続補正４】
【補正対象書類名】明細書
【補正対象項目名】０００５
【補正方法】変更
【補正の内容】
【０００５】
ステップ６０３において、同一電話番号が電話帳テーブルに登録されているときは、制御部は、ディスプレイ６２に、名前および電話番号を表示し（Ｓ６０４）、ダイヤル発信／電子メール送信キー６１２１が押されるのを待つ（Ｓ６０５）。そして、ダイヤル発信／電子メール送信キー６１２１が押されたときは、ダイヤル発信を行い、通話が終了したときに（Ｓ６０６）処理を終了する（図７の「エンド」：すなわち、状態を電源オン時に戻す）。
【手続補正５】
【補正対象書類名】明細書
【補正対象項目名】０００６
【補正方法】変更
【補正の内容】
【０００６】
ステップＳ６０２において、ユーザにより入力されたコードが短縮コードまたは検索キーであるときは、図８に示すように、短縮コードまたは検索キーが電話帳テーブルに登録されているか否かをチェックし（Ｓ６０８）、登録されていないときは処理を終了する（図８の「エンド」）。ステップＳ６０８において、短縮コードまたは検索キーが電話帳テーブルに登録されている場合には、電子メールアドレスが短縮コードまたは検索キーとともに登録されているかをチェックする（Ｓ６０９）。電子メールアドレスが電話帳テーブルに登録されていないときは、ステップＳ６０４（図７参照）に処理を渡し、電子メールアドレスが電話帳テーブルに登録されているときは、氏名，電話番号とともに、たとえば「電子メールアドレスあり」をディスプレイ６２に表示する（Ｓ６１０）。
【手続補正６】
【補正対象書類名】明細書
【補正対象項目名】０００７
【補正方法】変更
【補正の内容】
【０００７】
ついで、メール送信が選択されたか、ダイヤル発信が選択されたか（ダイヤル発信／電子メール送信キー６１２１が押されたか）をチェックし（Ｓ６１１）、ダイヤル発信／電子メール送信キー６１２１が押されたときは、前述したステップＳ６０６（図７参照）に処理を渡し、ダイヤル発信を行う。ステップＳ６１１において、メール選択がなされたときは、電子メール選択画面または電子メール作成画面をディスプレイ６２に表示し、電子メール選択、電子メール作成がなされた否かをチェックする（Ｓ６１２）。電子メール選択は、予め作成されている電子メールを、当該電子メールに付された文書番号を、リストの中から指定することにより行われ、電子メール作成は、制御部が簡易エディタを起動することにより行われる。
【手続補正７】
【補正対象書類名】明細書
【補正対象項目名】００１０
【補正方法】変更
【補正の内容】
【００１０】
本発明は、少ない操作回数で発信できる通信装置を提供することを目的とする。
【手続補正８】
【補正対象書類名】明細書
【補正対象項目名】００１１
【補正方法】変更
【補正の内容】
【００１１】
請求項１に記載の通信装置は、操作キーを有する操作手段と、短縮コードに対応付けられた電子メールアドレスを記憶するアドレステーブル記憶手段と、短縮コードに対応付けられた電話番号を記憶する電話番号テーブル記憶手段と、電話番号かあるいは短縮コードかどうかを、入力されたコードの桁数によって判断するコード判断手段とを備え、前記操作手段によって入力されたコードが所定の桁以上の場合には前記コード判断手段によって該コードを電話番号と判断し該コードを電話番号としてダイヤル発信する一方、入力されたコードが２桁の場合には前記コード判断手段によって該コードを短縮コードと判断し当該短縮コードに対応して前記電話番号テーブル記憶手段に記憶されている電話番号をダイヤル発信するかあるいは電子メールの新文書を作成するように制御することを特徴とする。
【手続補正９】
【補正対象書類名】明細書
【補正対象項目名】００１２
【補正方法】変更
【補正の内容】
【００１２】
請求項２に記載の通信装置は、請求項１に記載の通信装置において、前記入力された２桁のコードは００〜９９であることを特徴とする。
【手続補正１０】
【補正対象書類名】明細書
【補正対象項目名】００１３
【補正方法】変更
【補正の内容】
【００１３】
請求項３に記載の通信装置は、請求項１または２のいずれかに記載の通信装置において、当該短縮コードに対応した電子メールアドレスが前記アドレステーブル記憶手段に記憶されていないときには、電子メールの新文書を作成しないように制御することを特徴とする。
【手続補正１１】
【補正対象書類名】明細書
【補正対象項目名】００１４
【補正方法】変更
【補正の内容】
【００１４】
請求項４に記載の通信装置は、請求項１乃至３のいずれかに記載の通信装置において、当該短縮コードに対応した電話番号が前記電話番号テーブル記憶手段に記憶されていないときには、処理を終了するように制御することを特徴とする。
【手続補正１２】
【補正対象書類名】明細書
【補正対象項目名】００１５
【補正方法】変更
【補正の内容】
【００１５】
請求項５に記載の通信装置は、請求項１乃至４のいずれかに記載の通信装置において、前記アドレステーブル記憶手段に記憶されている電子メールアドレス宛にメールを送信するメール送信手段を備え、前記メール送信手段によって前記電子メールの新文書を送信することを特徴とする。
【手続補正１３】
【補正対象書類名】明細書
【補正対象項目名】００１６
【補正方法】変更
【補正の内容】
【００１６】
本発明では、少ない操作回数で発信できる通信装置を提供することが可能となる。
【手続補正１４】
【補正対象書類名】図面
【補正対象項目名】図７
【補正方法】変更
【補正の内容】
【図７】
2006187021.tif 000001